Podtech/llm-jp-corpus-v4-ja_patent huggingface dataset:
(57)【要約】      （修正有）【課題】体圧分散に優れ、褥瘡予防に効果的で、抗菌抗ウイルス性作用と消臭効果を発揮し、身体にフィットして、長期間の使用でも、へたりがなく、有毒ガスやほこりを発生しない衛生的なクッション及び寝具を提供する。【解決手段】クッション及び枕３やパッドやマットレスの寝具の詰め物に抗菌加工したラテックスチップ１を入れ、更にカバー２に永久抗菌加工をする。永久抗菌加工は、カバーに抗菌効果のある金属粒子又は金属イオンを練り込む。長期間、抗菌抗ウイルス効果を高め、消臭効果を発揮する。【選択図】図１
0003225050.tif 000002
【実用新案登録請求の範囲】
【請求項１】
中の詰め物に抗菌加工したラテックスチップを用いて、体圧分散に優れたクッション及び寝具。
【請求項２】
前記抗菌加工したラテックスチップのカバーに抗菌効果のある金属微粒子又は金属イオンを練り込み、永久抗菌加工を特徴とする、請求項１に記載のクッション及び寝具。
【考案の詳細な説明】
【技術分野】
【０００１】        本考案は、抗菌加工したラテックスチップを用いて、更にカバーに永久抗菌加工をしたクッション及び寝具に関するものである。
【背景技術】
【０００２】        従来、健康への関心が深まる中、クッション及び枕にラテックスチップを使用すると、身体にフィットした体圧分散や褥瘡に効果を長期にわたって発揮させて快適な睡眠や生活を得ることができる枕を提供することができる。
【先行技術文献】
【特許文献】
【０００３】
【特許文献１】特許公開  ２０１７−１８５２０６
【特許文献２】特許公開  ２００５−３１９２５０
【考案の概要】
【考案が解決しようとする課題】
【０００４】        従来のクッション及び枕の詰め物には、ウレタンやビーズなどを使っている。
【課題を解決するための手段】
【０００５】        本考案は、中の詰め物に抗菌加工したラテックスチップを用い、更にカバーに永久抗菌加工を施したクッション及び寝具である。
【考案の効果】
【０００６】        中の詰め物に抗菌加工したラテックスチップを使うことにより、身体にフィットして、体圧分散や褥瘡に効果的である。【０００７】        ラテックスチップは、有毒ガスが発生しないのと、へたりが無く、長持ちする利点がある。【０００８】        ラテックスチップ及びカバーに永久抗菌加工をすることによって、抗菌効果のあるクッション及び寝具を提供することができ、日常生活や介護の不安解消につながる。
【図面の簡単な説明】
【図１】本考案の詰め物に抗菌加工したラテックスチップを入れた枕の図。
【図２】本考案の詰め物に抗菌加工したラテックスチップを入れた体位変換保持パッドの図。
【図３】本考案の詰め物に抗菌加工したラテックスチップを入れたクッションの図。
【図４】本考案の詰め物に抗菌加工したラテックスチップを入れた体圧分散マットレスの図。
【図５】本考案の詰め物に抗菌加工したラテックスチップを入れた抱き枕の図。
【考案を実施するための形態】
【０００９】        図１〜図５に、本考案の実施形態を例示する。
図１は、詰め物に抗菌加工したラテックスチップを入れ、永久抗菌加工したカバーで覆った枕。
図２は、詰め物に抗菌加工したラテックスチップを入れ、永久抗菌加工したカバーで覆った体位変換保持パッド。
図３は、詰め物に抗菌加工したラテックスチップを入れ、永久抗菌加工したカバーで覆ったクッション。
図４は、詰め物に抗菌加工したラテックスチップを入れ、永久抗菌加工したカバーで覆った体圧分散マットレス。
図５は、詰め物に抗菌加工したラテックスチップを入れ、永久抗菌加工したカバーで覆った
抱き枕。
【符号の説明】
【００１０】１  抗菌加工したラテックスチップ
２  金属微粒子又は金属イオンを練り込んだカバー
３  枕
４  体位変換保持パッド
５  クッション
６  体圧分散マットレス
７  抱き枕
【図１】
0003225050.tif 000003
【図２】
0003225050.tif 000004
【図３】
0003225050.tif 000005
【図４】
0003225050.tif 000006
【図５】
0003225050.tif 000007
(57)【要約】      （修正有）【課題】ホタテ貝柱を傷つけることなくスムーズに剥けるホタテの剥き具を提供する。【解決手段】ホタテ貝を剥くためのホタテ貝の剥き具であって、丸みを設けられた先端部と、ホースを入れるための部分が設けられた背面部と、前記先端部と前記背面部との間に設けられた傾斜部と、からなる。【選択図】図１
0003225098.tif 000002
【実用新案登録請求の範囲】
【請求項１】
【考案の詳細な説明】
【考案の詳細な説明】
【技術分野】先端部に丸みを設け一部を傾斜することで、より剥きやすくするために水流を利用した剥き具。
【背景技術】ナイフ使用して剥くことはあったが、傾斜をつけ水流を利用する剥き具はなかった。
【考案がしようとする課題】
ホタテ貝に傷をつけにくく、容易に剥くことができる剥き具である。
【課題を解決するための手段】
貝柱に傷をつけずに取り出すために先端部Ａに丸みをつけ、より差込やすくするためにＢ面部に傾斜をつける。背面にホースを入れるＣ部を設ける。
水流の力を加えることで、よりスムーズに剥ける。
【考案を実施するための形態】
図１において剥き具本体の先端にＡ部の丸みを設け、Ｂ面の部分に傾斜をつける・
背面Ｃ部にホースを入れる部分を設ける。
【考案の効果】
本考案は上述のとおりホタテ貝を剥くにあたり、貝柱を傷つけることなくスムーズに剥ける。
【図面の簡単な説明】
【図１】本案の斜視図。
【図２】本案の背面図
【符号の説明】Ａ  は剥き具本体の先端部
Ｂ  は剥き具本体の傾斜部
Ｃ  は剥き具本体の背面部、ホースを入れる部分。
【図１】
0003225098.tif 000003
【図２】
0003225098.tif 000004
【手続補正書】
【提出日】令和1年8月23日(2019.8.23)
【手続補正１】
【補正対象書類名】実用新案登録請求の範囲
【補正対象項目名】全文
【補正方法】変更
【補正の内容】
【実用新案登録請求の範囲】
【請求項１】
貝柱に傷をつけずに剥くための剥き具。
図１の先端部Ａに丸みを設け、より剥がれやすくするための傾斜部Ｂを設ける。水流の力を利用できるようにＣ部を背面に設ける。
【手続補正書】
【提出日】令和1年11月13日(2019.11.13)
【手続補正１】
【補正対象書類名】実用新案登録請求の範囲
【補正対象項目名】全文
【補正方法】変更
【補正の内容】
【実用新案登録請求の範囲】
【請求項１】
ホタテ貝を剥くためのホタテ貝の剥き具であって、丸みを設けられた先端部と、ホースを入れるための部分が設けられた背面部と、
前記先端部と前記背面部との間に設けられた傾斜部と、
からなることを特徴とするホタテ貝の剥き具。
(57)【要約】      （修正有）【課題】ネクタイを装着した時、ネクタイピン（止め具）等を使用せずともネクタイのズレを防止できるネクタイの構造を提供する。【解決の手段】ネクタイの幅の広いネクタイ部１に穴２又は切込みを入れる。ネクタイを通常に装着後、後方の幅の狭いネクタイ部３を前方の幅の広いネクタイ部１の穴又は切込みに縫う様に通すことで、前方と後方のネクタイ部１、３を密着させる事が出来、双方のズレ防止が図れると共に、前方の幅の広いネクタイ部１の模様に立体的な大きな変化を付けることが出来る。【選択図】図１
0003225069.tif 000002
【実用新案登録請求の範囲】
【請求項１】
Ｙシャツを着た時に締める通常のネクタイで、前方に垂らす幅の広い側の本体に色々な形の穴や切込みの施しを特徴とするネクタイの構造。
【考案の詳細な説明】
【技術分野】
【０００１】本考案は背広服の下にワイシャツなどを着用した時に首部に装着する通常の一般的なネクタイに「穴や切込みを入れたネクタイ」とする事に関するものである。
【背景技術】
【０００２】一般的なネクタイを普通に首部に結んだ時、通常はネクタイの幅の広い方を前方に狭い方を後方にして下に垂らした状態にて装着する。
その時、前方の幅の広い方と後方の幅の狭い方が身体を動かした場合などにズレやすく、後方の狭い方が横にはみ出るなどしてネクタイ装着時の美観を損ねる要因になっている。
又、従来のネクタイでは図柄とは別に装着時に、際立った変化を付けることが出来ない。
【考案の概要】
【考案が解決しようとする課題】
【０００３】  ネクタイ装着時のズレを防止するために一般的にはネクタイピン（又は止め具）などを別途購入などして装着している。
一方、ネクタイの装着に変化を付ける方法としては、首部の結び方を変えるか結び部の下に凹みを入れて変化を付けているが、際立った変化を付けることが出ない。
本考案は上記のような従来のネクタイ装着状態に鑑み、ネクタイピン（止め具）などを使用せずともネクタイの幅の広い方（前方）と狭い方（後方）の「ズレ防止」を図る事が出来、また同じ模様（図柄）のネクタイで、装着時の状況に応じで大きな変化を付ける事が可能なネクタイの構造とするものである。
【課題を解決するための手段】
【０００４】本考案はネクタイの前方に垂らす幅の広い側に穴や切込みなどの加工を施したネクタイの構造とすることで、ネクタイを首に巻いて装着した後に幅の狭い方を幅の広い側に加工した穴や切込みに通すことにより、ネクタイのズレを防止し且つネクタイの模様に大きな変化を付けることが出来る。
【考案の効果】
【０００５】以上の説明から明らかなように本考案にあたっては次に列挙する効果が得られる。
（１）ネクタイの前方に垂らす幅の広い方に二カ所の穴を開けた場合には、通常の方法で首にネクタイを結んでから、後方の幅の狭い方を幅の広い側の上の穴に差し込んで前方に出し、次に下方の穴に差し込んで縫うように折り返す。その事で、前方の幅の広い側と後方の幅の狭い側のネクタイが固定されてズレが無くなる。
（２）前記（１）によって後方の幅の狭いネクタイ部が前方の太いネクタイ部を縫うように前側に出るので、その部分が立体的に変化したネクタイの模様になる。
（３）ネクタイの穴の代わりに縦や横方向の切れ目を入れることで上記の穴を開けた場合と同様な効果が得られる。穴や切れ目は用途に応じて何カ所でも良い。
（４）幅の広い方のネクタイ部の穴には丸形、星形、三角、四角、ハート形など色々な形に加工することで、その穴の形がそのままネクタイの模様デザインとなるし、切れ目も線状やプラス形、斜め形やバツ形などに加工することで、それが模様となり幅の狭い側のネクタイ部を通した時には、それぞれの形によって多様な変化を付けることが出来る。
【図面の簡単な説明】
【０００６】
【図１】幅の広いネクタイ部に丸い穴を施した実施例を示す正面図である。
【図２】図１のネクタイを装着した場合の幅の広いネクタイ部の穴に幅の狭いネクタイ部を通さない時の正面図である。
【図３】図１のネクタイを装着した場合の幅の広いネクタイ部の穴に幅の狭いネクタイ部を通した時の正面図である。
【図４】図１のネクタイを装着した場合の幅の広いネクタイ部の穴に幅の狭いネクタイ部を通した時の側面図である。
【符号の説明】
【０００７】▲１▼・・・・ネクタイの幅の広い方
▲２▼・・・・ネクタイにあけた穴（又は切込みなど）
▲３▼・・・・ネクタイの幅の狭い方
▲４▼・・・・ネクタイ装着時の結び
【図１】
0003225069.tif 000003
【図２】
0003225069.tif 000004
【図３】
0003225069.tif 000005
【図４】
0003225069.tif 000006
(57)【要約】      （修正有）【課題】振動・音源機器と設置面との間に挟み込む、または上から荷重として設置することで制振・断振効果を得る、貫入の入った陶磁器による制振・断振機器を提供する。【解決手段】貫入の入った陶磁器はその貫入による釉薬の割れ面がランダムに入り、結果として割れ面面積が一定していないことから、それぞれの割れ面の固有の振動が打ち消しあう働きがある構造である。陶磁器の成型はどのような形でも可能なものなので、設置条件にあった制振・断振機器を作ることができ、応用範囲が極めて広い。【選択図】図１
0003225065.tif 000002
【実用新案登録請求の範囲】
【請求項１】
貫入の入った陶磁器による制振・断振機器
【考案の詳細な説明】
【技術分野】
【０００１】  本考案は、貫入の入った陶磁器による制振・断振機器に関するものである。
【背景技術】
【０００２】  振動源・音源発生の元となる、ピアノ等の楽器、オーディオ機器、洗濯機などの白物家電は設置した場所や設置面との、相互の振動の伝播を防ぐため、ゴム板や木材によるインシュレータやクッションを挟んでいる。
【先行技術文献】
【特許文献】
【０００３】
【特許文献１】
【特許文献２】
【非特許文献】
【０００４】
【非特許文献１】「アイシン高丘株式会社ＴＡＯＣインシュレータカタログ」  ｈｔｔｐ：／／ｗｗｗ．ｔａｏｃ．ｇｒ．ｊｐ／ｐｒｏｄｕｃｔｓ＿ｉｎｓｕｌａｔｏｒ．ｈｔｍｌ
【非特許文献２】「日本防振工業株式会社  除振台カタログ」  ｈｔｔｐ：／／ｗｗｗ．ｂｏｕｓｈｉｎ．ｃｏｍ／ｃａｔａｌｏｇ／
【非特許文献３】「東京防音株式会社  商品例」  ｈｔｔｐｓ：／／ｗｗｗ．ｐｉａｎｏ−ｂｏｕｏｎ．ｊｐ／ｓｈｏｐｐｉｎｇ／？ｃａ＝１６
【考案の概要】
【考案が解決しようとする課題】
【０００５】  振動源・音源発生の元となる、ピアノ等の楽器、オーディオ機器、洗濯機などの白物家電は設置した場所や床との、相互の振動の伝播を防ぐため、ゴム板や木材によるインシュレータやクッションを挟んでいるが、それぞれの機器や設置環境によって、最適な方法は一つではない。
ピアノ等の楽器、オーディオ機器などの広帯域の振動・音の制振および断振に優れた適正を有し、見た目の美しさも併せ持たせて解決をしようとするものである。
【課題を解決するための手段】
【０００６】  本考案は、貫入の入った陶磁器によるインシュレータや制振重りを振動・音源機器と設置面との間に挟み込む、または上面に押さえつけるように置くものである。
今回、本実用新案申請者は、貫入の入った陶磁器はその貫入による釉薬の割れ面がランダムに入り、結果として割れ面面積が一定していないことから、それぞれの割れ面の固有の振動が打ち消しあう働きがある構造であることを発見した。陶磁器の成型はどのような形でも可能なものなので、設置条件にあった制振・断振機器を作ることができ、応用範囲が極めて広い。
【考案の効果】
【０００７】  実用新案申請の制振・断振機器を振動・音源機器と設置面との間に挟み込む、または上面に設置することで、楽器、オーディオ機器では床との共鳴を防ぎ、音質の向上が認められた。
【図面の簡単な説明】
【０００８】
【図１】  制振機器は、制振・断振機器を振動・音源機器と設置面との間に挟み込む。または上面に設置するためのものであり、状況によってさまざまな形状が想定される。そのため、図１は、あくまで一例に過ぎないが、インシュレータとして応用させる場合の例示である。また、この図は貫入の入った陶磁器の釉薬の割れ面の面積が一定していない構造であることも示している。
【図２】  貫入のない白磁器を木の棒で叩いた時の振動分布図。
【図３】  貫入のない青磁器を木の棒で叩いた時の振動分布図。
【図４】  貫入のある青磁器を木の棒で叩いた時の振動分布図。
【考案を実施するための形態】
【０００９】  本考案は，陶磁器とその釉薬の構造の効果から得られるものであることから、陶磁器の形態は使用条件に合わせて如何様にも構成可能である。
【実施例】
【００１０】    ［図５］
スピーカーとスピーカースタンドとの間に設置をした例
【図１】
0003225065.tif 000003
【図２】
0003225065.tif 000004
【図３】
0003225065.tif 000005
【図４】
0003225065.tif 000006
【図５】
0003225065.tif 000007
【手続補正書】
【提出日】令和1年11月23日(2019.11.23)
【手続補正２】
【補正対象書類名】明細書
【補正対象項目名】０００８
【補正方法】変更
【補正の内容】
【０００８】
【図１】  制振機器は、制振・断振機器を振動・音源機器と設置面との間に挟み込む。または上面に設置するためのものであり、状況によってさまざまな形状が想定される。そのため、図１は、あくまで実施例の一つに過ぎないが、インシュレータとして応用させる場合の例示である。また、この図は貫入の入った陶磁器の釉薬の割れ面の面積が一定していない構造であることも示している。
【図２】  貫入のない白磁器を木の棒で叩いた時の振動分布図。
【図３】  貫入のない青磁器を木の棒で叩いた時の振動分布図。
【図４】  貫入のある青磁器を木の棒で叩いた時の振動分布図。
【図５】  スピーカーとスピーカースタンドとの間に設置をした例。
(57)【要約】      （修正有）【課題】変形可能な人形であり、ヌメ皮の特徴を利用する技術と最新鋭のＵＶ加工技術を利用した技術を提供する。【解決手段】ヌメ皮シート２をインクジェットＵＶ加工印刷機１で、展開図ＵＶ加工印刷済ヌメ皮シート３として形成する。つぎにこれをプレス機４にセットして、プレス抜型５で展開図部分１１のみ切取り、つぎにこの表面に、水や湯７をスプレーして、柔らかくして半乾きの状態に成ったら、手指仕上加工６を施して、ヌメ皮立体完成体１０にする。最後にボンド止め９や鋲止め８をして、ヌメ皮人形にする。【選択図】図１
0003225068.tif 000002
【実用新案登録請求の範囲】
【請求項１】
ヌメ皮シート（２）をインクジェットＵＶ加工印刷機（１）で展開図ＵＶ加工印刷済ヌメ皮シート（３）として形成し、つぎに展開図ＵＶ加工印刷済ヌメ皮シート（３）をプレス機（４）にセットして、プレス抜型（５）でこの展開図部分（１１）のみ切り取り、そして、この展開図部分（１１）の表面に、水や湯（７）でスプレーして、柔らかくして、半乾きの状態に成ったら手指仕上加工（６）を施して、ヌメ皮立体完成体（１０）にして、最後にボンド止め（９）と鋲止め（８）して設ける、この様な特徴より成る、ヌメ皮人形。
【考案の詳細な説明】
【技術分野】
【０００１】  本考案は、多彩なキャラクター図をリアルに、印刷し組立てるヌメ皮人形に関するものである。
【背景技術】
【０００２】  従来、ヌメ皮人形は出来上がったものに、つまりヌメ皮立体完成体（１０）にしてから、細部に渡って手書きで線および配色をしていた。
【考案が解決しようとする課題】
【０００３】  今、ヌメ皮人形をもっと可愛いとか、綺麗とか、凄いとか、利用者の感情感性に、何か暖かいものが流れる様な物にしたい。また、人形工房に於いても、その製作方法を簡素化するために、とくに皮材料の加工にもっと特徴を持たせかった。とくに、ヌメ皮人形は展開図の段階では、模様や色、絵、線等はあまり入れずにヌメ皮立体完成体（１０）にしてから、あとから描いていた。しかし該完成体にしてから描くのは、技術力と時間が必要であった。
これらの問題点を改善し、今までにない有効な本考案がなされたのである。
【課題を解決するための手段】
【０００４】  本考案は出来る限りの簡単構成で形成されている。以下解決手段を説明する。
図１の工程図のごとく、まずヌメ皮シート（２）を用意する。つぎにこれに動物等のキャラクターの展開図を印刷する為に、インクジェットＵＶ加工印刷機（１）に、セットする。この印刷機は、ＵＶ光線を発して印刷面を瞬時に乾燥コーティング加工処理が出来、色彩等がリアルに表現出来るのである。つまり通常はヌメ皮シート（２）は印刷すると塗料で、濡れた状況にあるので、乾燥しにくく、その間に色彩等の品質も落ちてしまう状況にあった。つぎに該印刷機により印刷された展開図ＵＶ加工印刷済ヌメ皮シート（３）を取り出し、これをプレス機（４）のテーブルにセットして、プレス抜型（５）で展開図部分（１１）のみを抜き取り設ける。
つぎにこの切り抜かれた、ヌメ皮の展開図部分（１１）を用意して、その表面に水や湯（７）、またアルコールのような溶材でも良いが、スプレー加工をして、それらを加工し易く柔らかにする。そして半乾きの状態になったところで、このヌメ皮の展開図部分（１１）に手指仕上加工（６）を施して仕上げて、ヌメ皮立体完成体（１０）として形成する。つぎにボンド止め（９）をして、さらに鋲止め（８）を加えて、完成させる。本考案は以上のような特徴よりなる、ヌメ皮人形である。
【考案の効果】
【０００５】  １．本考案は、ヌメ皮で構成されているので、それのどんな箇所でも、水や湯等で湿らせば、粘土のように柔らかくして、指で簡単に自在に曲げる事ができるので、自分流の人形にする楽しみが出来た。
２．また、革工房に於いてもこの人形は、展開図部分（１１）に於いて、ＵＶ加工で色彩等が細かくリアルに表現され、ヌメ皮立体完成体（１０）での配色は無くなった。
３．また、ＵＶ加工により立体になった時のより精巧なデザインも可能になり、動物や魚、花そしてトレイ等立体になる総ての物に美的センスが向上し応用された。
【考案を実施するための最良の形態】
【０００６】  まず、図１のごとくＡ４サイズあるいはＡ３サイズのヌメ皮シート（２）を用意して、つぎにこのヌメ皮シート（２）を、動物等の多彩なキャラクターの展開図を印刷する為に、インクジェットＵＶ加工印刷機（１）にセットする。つぎに、このセットしたヌメ皮シート（２）に該展開図を印刷して、展開図ＵＶ加工印刷済ヌメ皮シート（３）として形成して設ける。この印刷機は、ＵＶ光線処理加工ができる最新鋭のもので、従来、ヌメ皮の性質もあり、印刷塗料で濡れる状況にあると、乾燥しにくく、その間に細かい色彩等も品質が落ちてしまう状況にあったが、このＵＶ加工により、瞬時に乾燥とＵＶコーティングが成されて、色彩等リアルに表現された。さらにこの展開図ＵＶ加工印刷済ヌメ皮シート（３）をプレス機（４）のテーブルにセットして、プレス抜型（５）で展開図部分（１１）のみを抜き取り設ける。
つぎにこの抜き取った、ヌメ皮の展開図部分（１１）の表面に、水や湯（７）でスプレー加工を行い、適度に柔らかくして半乾きの状態になったところで、この切抜いた展開図部分（１１）に手指仕上加工（６）を施して仕上げて、ヌメ皮立体完成体（１０）として形成する。最後にボンド止め（９）をして、さらに鋲止め（８）を加えて、完成する。
本考案は以上のような構成であり、これを使用実施するときには、【０００７】  このまま、革工房で作られた形のまま（購入時のまま）で飾ってもよいが、ヌメ皮の人形であるから、水や湯（７）で少し柔らかくして、手指の力だけで容易に人形の形を変えられるので、楽しみながら観賞できる。
【図面の簡単な説明】
【０００８】
【図１】  本考案の加工工程説明図ある。
【符号の説明】
【０００９】    １  インクジェットＵＶ加工印刷機
２  ヌメ皮シート
３  展開図ＵＶ加工印刷済ヌメ皮シート
４  プレス機
５  プレス抜型
６  手指仕上加工
７  水や湯
８  鋲止め
９  ボンド止め
１０  ヌメ皮立体完成体
１１  展開図部分
【図１】
0003225068.tif 000003
(57)【要約】      （修正有）【課題】熱中症防止を目的とした首巻きを提供する。【解決手段】保冷剤入れを設けた長方形の布からなり、首巻きの使用時に保冷剤入れに保冷剤を入れることで、常時接触部位が冷やされた状態になるため、熱中症を防止することができる。【選択図】図１
0003225746.tif 000002
【実用新案登録請求の範囲】
【請求項１】
保冷剤入れを設けた長方形の布からなる首巻き。
【請求項２】
前記保冷剤入れの入れ口部分は前記長方形の布の長辺部に接している請求項1に記載の首巻き。
【請求項３】
前記保冷剤入れの入れ口部分は前記長方形の布の短辺部に平行であり、かつ接していない請求項1に記載の首巻き。
【請求項４】
前記長方形の布の一方の短辺部は筒状である請求項1〜3のいずれか1項に記載の首巻き。
【請求項５】
前記筒状部は、前記長方形の布と一体で形成されている請求項4に記載の首巻き。
【請求項６】
前記筒状部は、前記長方形の布とは異なる布で形成されている請求項4に記載の
首巻き。
【考案の詳細な説明】
【技術分野】
【０００１】
本考案は首巻きに関し、熱中症防止を目的とした首巻きに関する。
【背景技術】
【０００２】
夏暑くてタオルを首に巻くと熱中症になる恐れがあった。
【考案の概要】
【考案が解決しようとする課題】
【０００３】
熱中症防止。
【課題を解決するための手段】
【０００４】
本考案はこれらの課題を解決するため、保冷剤入れを備えた首巻きを提供する。
【０００５】
本考案の首巻きは、保冷剤入れを設けた長方形の布からなることを特徴とする。
首巻きの使用時に本発明の保冷剤入れに保冷剤を入れることで、常時接触部位が
冷やされた状態になるため、熱中症を防止することができる。
【０００６】
本考案の首巻きは、前記保冷剤入れの入れ口部分が前記長方形の布の長辺部に接していることを特徴とする。この場合、首巻きを頸椎部に使用する時に、当該保冷剤入れに入れられた保冷剤は常時頸椎部に接触して高い冷却効果を発揮することができる。
【０００７】
本考案の首巻きは、前記保冷剤入れの入れ口部分が前記長方形の布の短辺部に平行であり、かつ接していないことを特徴とする。
【０００８】
本考案の首巻きは、前記長方形の布の一方の短辺部が筒状であることを特徴とする。
【０００９】
本考案の首巻きは、前記筒状部が、前記長方形の布と一体で形成されていることを特徴とする。
【００１０】
本考案の首巻きは、前記筒状部が、前記長方形の布とは異なる布で形成されていることを特徴とする。
【考案の効果】
【００１１】
熱中症予防になる。
【図面の簡単な説明】
【００１２】
【図１】本考案の実施の形態の首巻き。
【図２】本考案の実施の形態の表面の首巻き。
【図３】本考案の首巻きの使用方法を示す背面図。
【図４】本考案の首巻きの使用方法を示す正面図。
【図５】本考案の実施の形態の表面の首巻き。
【考案を実施するための形態】
【００１３】
本考案の実施の形態について図面を参照して説明する。図1を参照して
首巻きの構成を説明する。首巻き9は長方形の布1と長方形の布1の裏側に取り付けられた保冷剤入れ7で構成される。
【００１４】
長方形の布1は自然素材、及び自然素材と同様な布であり、全体として略長方形の
形状になっている。その底辺にあたる部分は、同じ素材の布を1枚縫い付け
られている。
【００１５】
保冷剤入れ7は長方形の布1の裏側の底辺の近傍に底辺24に沿って、中央の位置に1枚縫い付けられている。保冷剤入れ7の縫い付け部分には保冷剤を出し入れしやすいように保冷剤入れ7に1cm差を持たせて縫い付ける。保冷剤入れ7は、1cm差をつける事で保冷剤が出し入れしやすくなる。
【００１６】
次に図1を参照して、首巻きの使用方法を説明する。首巻き9の裏側に保冷剤入れ口部分8から保冷剤が飛び出さない様にマジックテープ（登録商標）で塞いだ状態にする。
【００１７】
次に図3を参照して、首巻きの使用方法を説明する。首巻9の裏側を頸椎に
押し当てる。筒状部4と端2を両手で引っ張る様にする。
【００１８】
次に図3を参照して、端2を筒状部4の中へ差し入れ込む様にする。この長さを微調節して出来上がり。
【００１９】
次に図5を参照して本考案の別の実施の形態を説明する。医療用器具である
首巻き9を示す機能性も併せ持っている。図5では筒状部がない。
【００２０】
本発明の首巻きは医療用器具としての機能性も併せ持っている。
【符号の説明】
【００２１】
1           長方形の布(本体)
2           端
3           手先を入れる筒状部
4           筒状部
5           上部
6           下部
7           保冷剤入れ
8           保冷剤入れ口部分
9           首巻き
【図１】
0003225746.tif 000003
【図２】
0003225746.tif 000004
【図３】
0003225746.tif 000005
【図４】
0003225746.tif 000006
【図５】
0003225746.tif 000007
(57)【要約】      （修正有）【課題】書類を挟みとめたときの滑り落ちが改善され、保持力が強く改善されている滑らないゼムクリップを提供する。【解決手段】一本の針金を所定箇所で屈曲させて、一端側に一重の巻き線部が、他端部に内外二重に位置する大小の外巻線部２及び内巻線部１で挟み部が形成されたゼムクリップであって、それぞれの前記挟み部にはタグのようなシートを挿入できるように形成されたビニールカバー３がかぶせられている。【選択図】図１
0003225721.tif 000002
【実用新案登録請求の範囲】
【請求項１】
一本の針金を所定箇所で屈曲させて、一端側に一重の巻き線部が、他端部に内外二重に位置する大小の外巻線部及び内巻線部で挟み部が形成されたゼムクリップであって、それぞれの前記挟み部にはタグのようなシートを挿入できるように形成されたビニールカバーがかぶせられている、ことを特徴とする滑らないゼムクリップ。
【考案の詳細な説明】
【技術分野】
【０００１】  本考案は、書類を挟みとめる滑らないゼムクリップに関するものである。
【背景技術】
【０００２】  ゼムクリップは書類を挟みとめる目的で広く市販され用いられている。ゼムクリップは通常、金属製で、彩色されたもの、挟んだ時に滑り難くする目的でプラスチックコーテイングされたもの等も知られている。
しかしながら、これら市販のゼムクリップは、書類を挟みとめたときの挟みとめる機能が未だ十分とは言い難い、また、書類に穴などの傷が生じる、等の問題があるのが現状である。
【先行技術文献】
【特許文献】
【０００３】
【特許文献１】実用新案登録第３１１６７６７号  公報
【考案の概要】
【考案が解決しようとする課題】
【０００４】  本考案は、書類を挟みとめたときの滑り落ちが改善され、保持力が強く改善されており、書類に傷を付けるなどの問題を生じない、滑らないゼムクリップを提供することを目的とするものである。
【課題を解決するための手段】
【０００５】  本考案は、一本の針金を所定箇所で屈曲させて、一端側に一重の巻き線部が、他端部に内外二重に位置する大小の外巻線部及び内巻線部で挟み部が形成されたゼムクリップであって、それぞれの前記挟み部にはタグのようなシートを挿入できるように形成されたビニールカバーがかぶせられている、ことを特徴とする滑らないゼムクリップである。
【考案の効果】
【０００６】  本考案により市販のゼムクリップであっても、書類を挟みとめたときに、例えば、Ａ４のコピー用紙３０枚程度でも書類が滑り落ちることなく保持できる。
本考案の滑らないゼムクリップで書類を挟み止めるときに、内外二重に位置する大小の外巻線部及び内巻線部で形成された挟み部が、図２に示すように前記巻線部を少しずらせて使用すると、書類が容易に挟み込むことができ、且つ書類等が滑り落ちることなく使用することができる。これに対し市販のゼムクリップでは、書類を挟みこむのが難しい、挟み込みに手間がかかることがある問題が解消できる。
【図面の簡単な説明】
【０００７】
【図１】本考案の滑らないゼムクリップの一実施例を示す平面図である。
【図２】本考案の滑らないゼムクリップの他の実施例を示す平面図である。
【図３】本考案の滑らないゼムクリップで書類を挟み吊るした図である。
【図４】本考案の形の異なる滑らないゼムクリップの他の実施例を示す図である。
【考案を実施するための形態】
【０００８】  本考案に使用するゼムクリップは、クリップ止めしたい書類の厚さ、大きさなどにより、市販の各種ゼムクリップから選択して使用できる。
例えば、幅７ｍｍ程度、長さ２８ｍｍ程度の大型のものから、長さ２３ｍｍ程度のもの、さらに小型のもの、長さ５３ｍｍ程度のジャイアントなものまで使用できる。またゼムクリップの材質も各種のもの、例えば鉄製ニッケルメッキされたもの、表面に彩色やプラスチックがコーテイングされたもの、など制限されない。形状についても各種のものが用いられ、通常の細長いもの、三角状、など、特に形状は限定されないで使用される。後述するビニールカバーを内外二重に位置する大小の外巻線部及び内巻線部に挿入できるものが好ましく、特には通常のゼムクリップが好ましい。
【０００９】  ゼムクリップの挟み部に使用するタグ（例えば商品の値段、材質、製造会社などを記したふだ・札・ラベル）のようなシートを挿入できるように形成されたビニールカバーは、新しいビニールカバーであって良いし、前記のようなタグのシートが入れてあった使用済みのビニールカバーであってもよい。このようなシートが挿入されていたビニールカバーは、使用するゼムクリップの挟み部のそれぞれの大きさに合わせて選択し使用される。ビニールカバーの材質は、軟質の塩化ビニル製のものが好ましい。
【実施例】
【００１０】  以下、添付図面に従って一実施例を説明する。図１は、市販の長さ２８ｍｍのゼムクリップに、値札のタグが入っていたビニールカバーを二つ、内外二重に位置する大小の外巻線部及び内巻線部で挟み部が形成されたゼムクリップそれぞれの巻線部に挿入した例である。このとき、前記挟み部は少しずらせて使用するのが、書類を挟みこむ際容易に挟み込むことができ好ましい。
図２は、別種の市販の長さ５２ｍｍのスーパージャイアントゼムクリップを使用し、内外二重に位置する大小の外巻線部及び内巻線部の挟み部を少しずらせて使用し、値札のタグが入っていたビニールカバーをゼムクリップそれぞれの巻線部に挿入した例である。
図３は、本考案の滑らないゼムクリップを使用して書類を挟みぶら下げた例である。
図４は、形状の異なる三角形状のゼムクリップを使用した例で、用いるビニールカバーは形状、大きさに合わせて選択して使用する。
【符号の説明】
【００１１】１  内巻線部
２  外巻線部
３  ビニールカバー
４  書類
５  紐
【図１】
0003225721.tif 000003
【図２】
0003225721.tif 000004
【図３】
0003225721.tif 000005
【図４】
0003225721.tif 000006
(57)【要約】      （修正有）【課題】全長さが０．６ｍ以下であるＬＥＤランプであって、大量生産を実現できるランプを提供する。【解決手段】膜付きガラス管を用いるランプ１であって、ガラス管１３と、ガラス管の両端にそれぞれ設けられる口金１０と、少なくとも１つの口金内に設けられる駆動電源２と、ガラス管の内部に設けられる内部ランプカバー１１と、内部ランプカバーの内部に設けられるＬＥＤ板３と、ガラス管の外部に敷設される１層の拡散膜１２を備える。【選択図】図２
0003225728.tif 000002
【実用新案登録請求の範囲】
【請求項１】
外面膜付きガラス管を用いるランプであって、
ガラス管と、
前記ガラス管の両端にそれぞれ設けられる複数の口金と、
少なくとも１つの前記口金内に設けられる駆動電源と、
前記ガラス管の内部に設けられる内部ランプカバーと、
前記内部ランプカバーの内部に設けられるＬＥＤ板と、
前記ガラス管の外部に敷設される拡散膜とを備えることを特徴とするランプ。
【請求項２】
前記ランプの長さが０．６ｍ以下であることを特徴とする請求項１に記載のランプ。
【請求項３】
前記ＬＥＤ板は、基板と、前記基板に設けられると共に発光するＬＥＤとを備えることを特徴とする、請求項１に記載のランプ。
【請求項４】
前記内部ランプカバーの内部において、前記ＬＥＤ板を設置して固定するための設置部を有することを特徴とする、請求項１に記載のランプ。
【考案の詳細な説明】
【技術分野】
【０００１】
本考案は、ランプ、特に膜付きガラス管を用いるランプに関する。
【背景技術】
【０００２】
ＬＥＤランプの長さは様々なものが存在しており、市販品でよく見られる仕様として１フィート、２フィート、４フィート等が挙げられる。上記長さを有するＬＥＤランプは、機械によってＬＥＤ板をガラス管に貼り付けることができるが、長さが０．６ｍ以下であるランプは、機械の制限からオートメーションによってＬＥＤ板をガラス管に貼り付けることができない。そのため、長さが０．６ｍ以下である膜付きＬＥＤガラスを用いるランプを大量生産することができない。
【考案の概要】
【考案が解決しようとする課題】
【０００３】
よって、長さが０．６ｍ以下である膜付きＬＥＤガラスを用いるランプを大量生産することは、当業者が解決しようとする課題である。
【課題を解決するための手段】
【０００４】
上記問題に鑑み、本実用新案は、膜付きガラス管を用いるランプであって、ガラス管と、前記ガラス管の両端にそれぞれ設けられる複数の口金と、少なくとも１つの前記口金内に設けられる駆動電源と、前記ガラス管の内部に設けられる内部ランプカバーと、前記内部ランプカバーの内部に設けられるＬＥＤ板と、前記ガラス管の外部に敷設される拡散膜とを備えることを特徴とするランプを提供する。
【０００５】
好ましい実施形態において、ランプの長さが０．６ｍ以下である。
【０００６】
好ましい実施形態において、前記ＬＥＤ板は、基板と、前記基板に設けられると共に発光するＬＥＤとを備える。
【０００７】
好ましい実施形態において、前記内部ランプカバーの内部において、前記ＬＥＤ板を設置して、固定するための設置部を有する。
【０００８】
上記内容をまとめると、本実用新案の膜付きガラス管を用いるランプは、ガラス管の内部に設けられる内部ランプカバーと、内部ランプカバーの内部に設けられるＬＥＤ板と、ガラス管の外部に敷設される拡散膜とを備えることで、全長さが０．６ｍ以下であるＬＥＤランプの大量生産を実現できる。
【考案の効果】
【０００９】
本考案によれば、全長さが０．６ｍ以下であるＬＥＤランプの大量生産を実現できる。
【図面の簡単な説明】
【００１０】
【図１】本実用新案の膜付きガラス管を用いるランプを模式的に示す斜視図である。
【図２】本実用新案の膜付きガラス管を用いるランプを模式的に示す斜視分解図である。
【図３】本実用新案の膜付きガラス管を用いるランプを模式的に示す断面図である。
【考案を実施するための形態】
【００１１】
以下、具体的な実施例及び図面を開示しながら本考案の技術的な内容、特徴、目的及び効果を詳しく説明する。
【００１２】
内部ランプカバーの内部にＬＥＤ板を設けて、そして、ＬＥＤ板を設けた内部ランプカバーをランプに設けて、最後、ランプの外部に拡散膜を敷設することで、全長さが０．６ｍ以下であるＬＥＤランプの大量生産を実現できる。
【００１３】
図１、図２、図３は、それぞれ本実用新案の膜付きガラス管を用いるランプを模式的に示す斜視図、斜視分解図、断面図である。本考案は、膜付きガラス管を用いるランプを提供する。本考案のランプ１は、ガラス管１３と、ガラス管１３の両端にそれぞれ設けられる複数の口金１０と、少なくとも１つの口金１０内に設けられる駆動電源２と、ガラス管１３内に設けられる内部ランプカバー１１と、前記内部ランプカバーの内部に設けると共にＬＥＤ板３を固定するための設置部１１０と、ガラス管１３外層に敷設される拡散膜１２とを備える。ランプ１の全体の長さが０．６ｍ以下である。また、前記ＬＥＤ板３は、基板３０と、前記基板３０に設けられると共に発光するＬＥＤ３２とを備える。
【００１４】
上記内容から分かるように、従来のＬＥＤ板３をそのまま内部ランプカバー１１内の設置部１１０に設けることができる。ガラス管１３、内部ランプカバー１１及び拡散膜１２がいずれも透光性材料からなるものであるため、ＬＥＤ板３を設けた内部ランプカバー１１をそのままガラス管１３内に設けることができる。このような方法は、全長さが０．６ｍ以下であるランプ１に用いられる。最後に、ガラス管１３の外部に拡散膜１２が敷設されることで、光の照射範囲を広くすることができる。
【００１５】
上記内容をまとめると、本考案の膜付きガラス管を用いるランプは、ガラス管１３の内部に設けられる内部ランプカバー１１と、内部ランプカバー１１の内部に設けられるＬＥＤ板３と、ガラス管１３の外部に敷設される１層の拡散膜１２とを備えることで、全長さが０．６ｍ以下であるＬＥＤランプの大量生産を実現できる。
【００１６】
なお、本考案の各実施例を説明したが、本実用新案の範囲は、上記内容に限定されない。本考案の精神に基づいてなされた均等的な変更及び改良、本考案の明細書及び図面に基づいてなされた均等的な手順調整、並びに本考案を直接または間接的に他の関連技術分野に適用することは、いずれも本考案の範囲に含まれる。
【符号の説明】
【００１７】
１  ランプ
１０  口金
１１  内部ランプカバー
１１０  設置部
１２  拡散膜
１３  ガラス管
２  駆動電源
３  ＬＥＤ板
３０  基板
３２  ＬＥＤ
【図１】
0003225728.tif 000003
【図２】
0003225728.tif 000004
【図３】
0003225728.tif 000005
(57)【要約】      （修正有）【課題】アシスト増しボタン等を操作しやすい電動アシスト自転車専用手袋を提供する。【解決手段】厳冬期に使用する手袋の、左手親指腹の当接部に薄い生地素材を設けた。【選択図】図３
0003225722.tif 000002
【実用新案登録請求の範囲】
【請求項１】
厳冬期に使用する手袋の、左手の親指腹の当接部に薄い生地素材を設けたことを特徴とする電動アシスト自転車専用手袋。
【考案の詳細な説明】
【技術分野】
【０００１】  本発明は、主に厳冬期に使う、電動アシスト自転車専用の手袋に関するものである。
【背景技術】
【０００２】  従来、厳冬期に電動アシスト自転車を運転する際には、主に歩行するときに使う、一般的な手袋を使用していた。
【先行技術文献】
【実用新案登録文献】
【０００３】
【実用新案登録文献】
【考案の概要】
【考案が解決しようとする課題】
【０００４】  電動アシスト自転車の、アシスト増しボタン等の高さは、１ミリ程、アシスト増しボタン等どうしの距離は数ミリであり、僅かである。
厳冬期に、素手で電動アシスト自転車を運転する時、指がかじかみ、感覚がなくなる為、アシスト増しボタン等を操作しにくいし、一般的な厳冬期用手袋を使用すると、指のかじかみを防ぐことはできるが、厚みのある保温素材がアシスト増しボタン等と親指腹の間にある為、接触感が伝わりにくく操作しにくかった。
本考案は、以上の問題点を解決するためになされたものである。
【課題を解決するための手段】
【０００５】  厳冬期に使用する手袋の、左手の親指腹の当接部に薄い生地素材を設ける。
以上の構成よりなる電動アシスト自転車専用手袋である。
【考案の効果】
【０００６】  厳冬期に使用する一般的な手袋を使用すると、従来操作しにくかった電動アシスト自転車のアシスト増しボタン等の操作を、本考案により、容易にする事ができる。
【図面の簡単な説明】
【０００７】
【図１】本考案の斜視図
【図２】電動アシスト自転車のボタンパネル
【図３】本考案の装着状態において、握りこぶしを作り、親指を立てた際の斜視図
【考案を実施するための形態】
【０００８】  以下、本考案の実施の形態を説明する。
厳冬期に、歩行するときに使用する手袋において、該左手用（２）にアシスト増しボタン（３）等を押しやすくするために、左手親指腹の当接部即ち、操作ボタン押し当て部（１）に薄い生地素材を設けた。
本考案を使用するときは、一般的な手袋を着用するのと同様にして着用し、左手親指で、アシスト増しボタン（３）等を押して、操作する。
【符号の説明】
【０００９】１  操作ボタン押し当て部，    ２  電動アシスト自転車用手袋，    ３  アシスト増しボタン，    ４  アシスト減ボタン，    ５  電源ボタン，    ６  ライトボタン，    ７  残量速度切り替えボタン，    ８  ボタンパネル，    ９  手
【図１】
0003225722.tif 000003
【図２】
0003225722.tif 000004
【図３】
0003225722.tif 000005
(57)【要約】      （修正有）【課題】本考案は休息、あるいは仮眠時の頭部を支えて疲労の軽減、及び仮眠時のムチウチ症を防止できる姿勢保持補助器具を提供する。【解決手段】休息あるいは仮眠時に頭部を保持し首の疲労を軽減するためにＵ字型形状のフレームに後頭部を支持する部分１、胸部に当てる部分２、及び手で保持する部分３を設けて自然な姿勢で頭部を保持する。【選択図】図１
0003225761.tif 000002
【実用新案登録請求の範囲】
【請求項１】
休息あるいは仮眠時に頭部を保持し首の疲労を軽減するためにＵ字型形状のフレームに後頭部を支持する部分、胸部に当てる部分、及び手で保持する部分を設けて自然な姿勢で頭部を保持することを可能にする補助器具。
添付図による本考案器具の意匠は一例である。
【考案の詳細な説明】
【技術分野】
【０００１】本考案は休息時、仮眠時に頭部を支える姿勢保持補助具に関するものである。
【背景技術】
【０００２】  頭部を支える枕機能を有しない椅子での休息あるいは仮眠を取る際に頭部を支持することで姿勢を保持する補助具に関するものである。
【考案の概要】
【考案が解決しようとする課題】
【０００３】  背もたれの低い椅子で休息を取る際は頭部が支持されないので首の疲労を覚える。また仮眠の際には思わず頭がコックリとなりムチウチ症のような状態になることがあり得る。
【課題を解決するための手段】
【０００４】本考案はフレームに後頭部を支持する部分、胸部に当てる部分、手で保持する部分を設けて休息、仮眠時の自然な手の位置でテコ原理を応用して頭部を保持することを可能にしている。
【考案の効果】
【０００５】  休憩時、仮眠時に頭部を支えることができるので首の疲労を抑えることが可能であり、また仮眠時に頭がコックリとしてしまってムチウチ症のような症状になることを防止することができる。
【図面の簡単な説明】
【０００６】
【図１】本考案器具の正面図である。
【図２】本考案器具の側面図である。
【図３】本考案器具使用例の正面図である。
【図４】本考案器具使用例の側面図である。
【考案を実施するための形態】
【０００７】  基本形状をＵ字形状として頭部あるいは首部を支える部分と胸部に当たる部分の形状及び素材を最適化し快適かつ自然な姿勢で休息、及び仮眠時に使用できるようデザインした。
【実施例】
【０００８】  以下、添付図面に従って一実施例を説明する。図１、及び図２の▲１▼は頭部あるいは首部を当てる部分、▲２▼は胸部に当てる部分、▲３▼は手あるいは腕で保持する部分でそれぞれ体に触れても快適な形状及び素材とする。【０００９】図３、図４は本考案器具の使用例である。【００１０】  図４のように▲２▼を支点、▲３▼を力点、▲１▼の作用点としてテコの原理で頭部の重量を支えて首の疲労を削減する。
【符号の説明】
【００１１】１  頭部を支える部分
２  胸部に当てる部分
３  手あるいは腕で保持する部分
【図１】
0003225761.tif 000003
【図２】
0003225761.tif 000004
【図３】
0003225761.tif 000005
【図４】
0003225761.tif 000006
【手続補正書】
【提出日】令和2年1月15日(2020.1.15)
【手続補正１】
【補正対象書類名】実用新案登録請求の範囲
【補正対象項目名】全文
【補正方法】変更
【補正の内容】
【実用新案登録請求の範囲】
【請求項１】
休息あるいは仮眠時に頭部を保持し首の疲労を軽減するためにＵ字型形状のフレームに後頭部を支持する部分、胸部に当てる部分、及び手で保持する部分を設けて自然な姿勢で頭部を保持することを可能にする補助器具。
(57)【要約】【課題】ネイル素材（ジェルネイル）と宝石により様々な装飾が可能なリングを提供する。【解決手段】本実施形態に係るリングはネイルを塗布したり宝石３を付けたりするデザインを施すための外面１と、主にジェルネイルを重ねて塗ることでリングのサイズを小さくする内面２を有す。【選択図】図１
0003225736.tif 000002
【実用新案登録請求の範囲】
【請求項１】
ジェルネイル等により爪に施したデザインと一体性を持たせるように、当該ジェルネイルを塗布し、又は宝石を前記ジェルネイルで付着させる外面と、
指のサイズに適合するようにジェルネイルを塗布して成るサイズ調整層を有する内面と、
を備えたことを特徴とする金属製リング。
【請求項２】
前記ジェルネイルは、ウレタン系樹脂と光重合性成モノマを含むジェル状の装飾用硬化性組成物であり、紫外線照射により硬化することを特徴とする請求項１に記載の金属製リング。
【請求項３】
前記金属製リングの外面及び／又は内面にホーニング加工が施されていることを特徴とする請求項１又は請求項２に記載された金属製リング。
【考案の詳細な説明】
【技術分野】
【０００１】  本考案は、新規な金属製リングに関する。
すなわち、爪に施すネイルアートと統一感あるデザイン等をジェルネイルにより描いたり、当該ジェルネイルの粘着性を利用して宝石を外面に付け、紫外線を照射して硬化させた趣向性の高い新規な金属製リングに関するものである。
【背景技術】
【０００２】  これまでネイルサロンでは売上向上のため、ネイルの施術以外にもまつげエクステやヘッドスパなど様々な付加価値的なサービスを行ってきた。
しかし、爪自体のネイルアートを拡張して、当該ネルールアートと統一感持たせたデザインのリング（指輪）を提供することは考えられてこなかった。
【考案の概要】
【考案が解決しようとする課題】
【０００３】  一方、服装やネイルデザインに合わせ、あるいは統一感を持たせたアクセサリーを作るのは手軽ではなく手間及び費用が掛かる。
そこで、金属製リング（例えば、シルバーリング）の外面にネイルアートを施すことで、さほど費用も掛からず容易に自分だけのリングを作ることが出来る。また、ネイルサロンではお客様の爪だけでなく、リングを絡めた様々なサービス提供が行える。また、前記リングに内面にジェリネイルでサイズ調整層を形成すれば、手軽に指のサイズに調整が可能となる。
【課題を解決するための手段】
【０００４】  本考案は、シルバー素材のリングにネイルが塗布できるようホーニング加工を行い、そこにジェルネイルや宝石で装飾することで課題を解決している。
【考案の効果】
【０００５】  本考案は、上記のように構成したので、以下のような効果を奏する。
（１）  爪に施したジェルネイルとシリバーリング等の表面に施されたデザイン等に統一感を持たせ、あるいは発展させることが出来、全体として趣向性に富んだ自分だけの金属製リングを提供することができる。
（２）  金属製リングの外面及び内面又はいずれか一方にホーニング加工が施されているため、ジェルネイルが付着し易い。
（３）  例えば、ネイルサロンでは新サービスとして、リング加工業部及びリング提供業務も行うことができ、業務拡張による収益の増大が見込める。
（４）  シルバーリング等へジェルネイルでデザインを施すため、デザインに飽きたら液を落とし、新しいデザイン、流行性に富んだリングを安価に、かつ、手軽に繰り返し作ることが出来る。そのため、本リングを介して新しいムーブメントになる可能性も大いに期待できる。
【実施例】
【０００６】    以下、本考案を、図１を参照せて説明する。
図１は、本考案の金属製リング、例えば、シルバーリングＲの斜視図である。
この図において、シルバーリングＲの装飾を行う外面１を有する。この外面１には、図示を省略したジェルネイルを塗布する。このジェルネイルは、ウレタン系樹脂と光重合性成モノマを含むジェル状の装飾用硬化性組成物であり、紫外線照射により硬化する特徴を備えている。【０００７】  上記の外面１には、上記のジェルネイルの塗布層を介して装飾に使う宝石３を固着させる。この宝石３は、価格の安いガラス玉や模造品であっても良い。２は、指のサイズが当該リングＲの内径に対して小さ過ぎる場合に、ジェルネイルを塗布してサイズを調整するためのサイズ調整層を備えた内面である。【０００８】  上記シルバーリングＲの外面１及び内面２には、ホーニング加工が施さる。このホーニング加工は、ジェルネイルを付着させ易くするためのものであるため、必ずしもホーニング加工に限定されるものではない、要は、内、外面を粗面化し得るような手段であれば良い。【０００９】
【図面の簡単な説明】
【００１０】
【図１】  第１図は、本考案に係る指輪の外観を示した斜視図である。
【符号の説明】
【００１１】  １  装飾を行うリングの外面
２  サイズを小さくするためジェルネイルを塗布するリングの内面
３  装飾に使う宝石
【図１】
0003225736.tif 000003
【手続補正書】
【提出日】令和2年1月14日(2020.1.14)
【手続補正１】
【補正対象書類名】実用新案登録請求の範囲
【補正対象項目名】請求項１
【補正方法】変更
【補正の内容】
【請求項１】
ジェルネイルにより爪に施したデザインと一体性を持たせるように、当該ジェルネイルを塗布し、又は宝石を前記ジェルネイルで付着させる外面と、
指のサイズに適合するようにジェルネイルを塗布して成るサイズ調整層を有する内面とを備えたことを特徴とする金属製リング。